(57)【要約】      （修正有）【課題】ハンズフリー通話という概念や、通常の通話とハンズフリー通話との切り替えボタンの位置を認識していないユーザにおいても、容易に両者間の切り替えを行うこと。【解決手段】通常通話モード又はハンズフリー通話モードにより通話可能な移動体端末において、ハンズフリーモードオフ状態（ＳＴ２０１）でユーザから受話音量の変更指示を受け付けると（ＳＴ２０２）、当該変更指示に応じて通常通話及びハンズフリー通話における受話音量を可視的に表示し当該受話音量の変更を受け付ける音量変更画面を表示し（ＳＴ２０３）、受話器音量が最大（ＳＴ２０４）になると、切替確認画面を表示し（ＳＴ２０５）、当該切替確認画面から通常通話モードとハンズフリー通話モードとを切り替える切替指示を受け付けると（ＳＴ２０６）、当該切替指示に応じてハンズフリー通話モードに切り替える（ＳＴ２０７）。【選択図】図２
2007281962.tif 000002
【特許請求の範囲】
【請求項１】
通常通話モード又はハンズフリー通話モードにより通話可能な移動体端末装置のハンズフリー切り替え方法であって、ユーザから受話音量の変更指示を受け付けるステップと、前記変更指示に応じて通常通話及びハンズフリー通話における受話音量を可視的に表示し当該受話音量の変更を受け付ける音量変更画面を表示するステップと、前記音量変更画面から通常通話モードとハンズフリー通話モードとを切り替える切替指示を受け付けるステップと、前記切替指示に応じて通話モードを切り替えるステップと、を具備することを特徴とするハンズフリー切り替え方法。
【請求項２】
通常通話モード又はハンズフリー通話モードにより通話可能な移動体端末装置のハンズフリー切り替え方法であって、当該移動体端末装置の現在の使用形態を検知するステップと、検知した当該移動体端末装置の使用形態に基づいて通常通話モードとハンズフリー通話モードとを切り替えるステップと、を具備することを特徴とするハンズフリー切り替え方法。
【請求項３】
通常通話モード又はハンズフリー通話モードにより通話可能な移動体端末装置であって、ユーザから受話音量の変更指示及び通話モードの切替指示を受け付ける指示受付手段と、前記受話音量の変更指示に応じて通常通話及びハンズフリー通話における受話音量を表示し当該受話音量の変更を受け付ける音量変更画面を表示する表示手段と、前記音量変更画面から前記通話モードの切替指示を受け付けると当該切替指示に応じて通話モードを切り替えるモード制御手段と、を具備することを特徴とする移動体端末装置。
【請求項４】
前記音量変更画面は、通常通話における受話音量とハンズフリー通話における受話音量とを連結して表示し、前記モード制御手段は、通常通話における受話音量の最大値を上回る受話音量の変更を受け付けると、通常通話モードからハンズフリー通話モードへ切り替える一方、ハンズフリー通話における受話音量の最小値を下回る受話音量の変更を受け付けると、ハンズフリー通話モードから通常通話モードへ切り替えることを特徴とする請求項３記載の移動体端末装置。
【請求項５】
前記音量変更画面は、通常通話における受話音量とハンズフリー通話における受話音量とを並べて表示すると共にいずれか一方を変更受付可能状態とし、前記モード制御手段は、前記変更受付可能状態を他方へ移行させる移行指示を受け付けると、通話モードを異なる通話モードに切り替えることを特徴とする請求項３記載の移動体端末装置。
【請求項６】
通常通話モード又はハンズフリー通話モードにより通話可能な移動体端末装置であって、装置本体の現在の使用形態を検知する検知手段と、前記検知手段で検知した装置本体の使用形態に基づいて通常通話モードとハンズフリー通話モードとを切り替えるモード制御手段と、を具備することを特徴とする移動体端末装置。
【請求項７】
前記モード制御手段は、装置本体の使用形態が通常通話における使用形態である場合には通話モードを通常通話モードに切り替える一方、通常通話における使用形態でない場合には通話モードをハンズフリー通話モードに切り替えることを特徴とする請求項６記載の移動体端末装置。
【発明の詳細な説明】
【技術分野】
【０００１】
本発明は、ハンズフリー切り替え方法及び移動体端末装置に関し、特に、ユーザの操作入力等に基づいて容易に通常の通話機能とハンズフリー通話機能とを切り替え可能とするハンズフリー切り替え方法及び移動体端末装置に関する。
【背景技術】
【０００２】
従来、携帯電話などの移動体端末装置においては、端末装置を手で持たずに通話可能なハンズフリー通話機能を搭載したものがある。一般に、このような携帯電話において、通常の通話とハンズフリー通話との切り替えは、専用のボタン（切り替えボタン）に割り当てられている。また、ハンズフリー通話機能における各種設定について、操作部を目視確認することなく設定可能とした電話機用のハンズフリー装置が提案されている（例えば、特許文献１参照）。
【特許文献１】特願２００５−１９２１０３号公報
【発明の開示】
【発明が解決しようとする課題】
【０００３】
上述したような従来の移動体端末装置においては、通常の通話とハンズフリー通話との切り替えボタンを用いて両者間が切り替えられるが、この場合には、ユーザがハンズフリーという概念を理解すると共に、切り替えボタンの位置を予め認識しておかなければ両者の切り替えを行うことができないという問題がある。
【０００４】
本発明はかかる実情に鑑みて為されたものであり、ハンズフリー通話という概念や、通常の通話とハンズフリー通話との切り替えボタンの位置を認識していないユーザにおいても、容易に両者間の切り替えを行うことができるハンズフリー切り替え方法及び移動体端末装置を提供することを目的とする。
【課題を解決するための手段】
【０００５】
本発明のハンズフリー切り替え方法は、通常通話モード又はハンズフリー通話モードにより通話可能な移動体端末装置のハンズフリー切り替え方法であって、ユーザから受話音量の変更指示を受け付けるステップと、上記変更指示に応じて通常通話及びハンズフリー通話における受話音量を可視的に表示し当該受話音量の変更を受け付ける音量変更画面を表示するステップと、当該音量変更画面から通常通話モードとハンズフリー通話モードとを切り替える切替指示を受け付けるステップと、上記切替指示に応じて通話モードを切り替えるステップと、を具備することを特徴とする。
【０００６】
この方法によれば、受話音量の変更指示に応じて表示される音量変更画面に対する通話モードの切替指示に応じて通常通話モードとハンズフリー通話モードとを切り替えるようにしたことから、受話音量の変更を受け付ける音量変更画面から通話モードの切り替えが指示可能となるので、ハンズフリー通話という概念や、通常の通話とハンズフリー通話との切り替えボタンの位置を認識していないユーザにおいても、容易に両者間の切り替えを行うことが可能となる。
【０００７】
本発明のハンズフリー切り替え方法は、通常通話モード又はハンズフリー通話モードにより通話可能な移動体端末装置のハンズフリー切り替え方法であって、当該移動体端末装置の現在の使用形態を検知するステップと、検知した当該移動体端末装置の使用形態に基づいて通常通話モードとハンズフリー通話モードとを切り替えるステップと、を具備することを特徴とする。
【０００８】
この方法によれば、移動体端末装置の使用形態の検知結果に応じて通常通話モードとハンズフリー通話モードとを切り替えるようにしたことから、ユーザの操作入力を要することなく通話モードを切り替え可能となるので、ハンズフリー通話という概念や、通常の通話とハンズフリー通話との切り替えボタンの位置を認識していないユーザにおいても、容易に両者間の切り替えを行うことが可能となる。
【０００９】
本発明の移動体端末装置は、通常通話モード又はハンズフリー通話モードにより通話可能な移動体端末装置であって、ユーザから受話音量の変更指示及び通話モードの切替指示を受け付ける指示受付手段と、上記受話音量の変更指示に応じて通常通話及びハンズフリー通話における受話音量を表示し当該受話音量の変更を受け付ける音量変更画面を表示する表示手段と、当該音量変更画面から上記通話モードの切替指示を受け付けると当該切替指示に応じて通話モードを切り替えるモード制御手段と、を具備することを特徴とする。
【００１０】
この構成によれば、受話音量の変更指示に応じて表示される音量変更画面に対する通話モードの切替指示に応じて、モード制御手段で通常通話モードとハンズフリー通話モードとを切り替えるようにしたことから、受話音量の変更を受け付ける音量変更画面から通話モードの切り替えが指示可能となるので、ハンズフリー通話という概念や、通常の通話とハンズフリー通話との切り替えボタンの位置を認識していないユーザにおいても、容易に両者間の切り替えを行うことが可能となる。
【００１１】
本発明の移動体端末装置においては、音量変更画面に、通常通話における受話音量とハンズフリー通話における受話音量とを連結して表示し、モード制御手段で通常通話における受話音量の最大値を上回る受話音量の変更を受け付けると、通常通話モードからハンズフリー通話モードへ切り替える一方、ハンズフリー通話における受話音量の最小値を下回る受話音量の変更を受け付けると、ハンズフリー通話モードから通常通話モードへ切り替えることが考えられる。この場合には、通常通話において受話音量のアップ操作を行うだけでハンズフリー通話モードに切り替えることができる一方、ハンズフリー通話において受話音量のダウン操作を行うだけで通常通話モードへ切り替えることができるので、ハンズフリー通話という概念や、通常の通話とハンズフリー通話との切り替えボタンの位置を認識していないユーザにおいても、容易に両者間の切り替えを行うことが可能となる。
【００１２】
また、本発明の移動体端末装置において、音量変更画面に、通常通話における受話音量とハンズフリー通話における受話音量とを並べて表示すると共にいずれか一方を変更受付可能状態とし、変更受付可能状態を他方へ移行させる移行指示を受け付けると、モード制御手段で通話モードを異なる通話モードに切り替えるようにしても良い。この場合には、受話音量の変更を受け付ける音量変更画面から、変更受付可能状態を移行させるだけで通話モードの切り替えを指示可能となるので、ハンズフリー通話という概念や、通常の通話とハンズフリー通話との切り替えボタンの位置を認識していないユーザにおいても、容易に両者間の切り替えを行うことが可能となる。
【００１３】
本発明の移動体端末装置は、通常通話モード又はハンズフリー通話モードにより通話可能な移動体端末装置であって、装置本体の現在の使用形態を検知する検知手段と、当該検知手段で検知した装置本体の使用形態に基づいて通常通話モードとハンズフリー通話モードとを切り替えるモード制御手段と、を具備することを特徴とする。
【００１４】
この構成によれば、検知手段による移動体端末装置の使用形態の検知結果に応じて通常通話モードとハンズフリー通話モードとを切り替えるようにしたことから、ユーザの操作入力を要することなく通話モードを切り替え可能となるので、ハンズフリー通話という概念や、通常の通話とハンズフリー通話との切り替えボタンの位置を認識していないユーザにおいても、容易に両者間の切り替えを行うことが可能となる。
【００１５】
本発明の移動体端末装置において、モード制御手段は、装置本体の使用形態が通常通話における使用形態である場合には通話モードを通常通話モードに切り替える一方、通常通話における使用形態でない場合には通話モードをハンズフリー通話モードに切り替えることが考えられる。このように通常通話における使用形態であるか否かに応じて通話モードを切り替えることで、ハンズフリー通話という概念や、通常の通話とハンズフリー通話との切り替えボタンの位置を認識していないユーザにおいても、容易に両者間の切り替えを行うことが可能となる。
【発明の効果】
【００１６】
本発明に係るハンズフリー切り替え方法及び移動体端末装置によれば、ハンズフリー通話という概念や、通常の通話とハンズフリー通話との切り替えボタンの位置を認識していないユーザにおいても、容易に両者間の切り替えを行うことが可能となる。
【発明を実施するための最良の形態】
【００１７】
以下、本発明の実施の形態について、添付図面を参照して詳細に説明する。
【００１８】
（実施の形態１）
図１は、本発明の実施の形態１に係るハンズフリー切り替え方法が適用される移動体端末装置（以下、「移動体端末」という）１００の機能ブロック図である。なお、図１に示す構成は、本発明を説明するために簡略化したものであり、通常の移動体端末に搭載される構成要素は備えているものとする。特に、本実施の形態に係る移動体端末１００は、通常の通話機能とハンズフリー通話機能とを有する。ハンズフリー通話機能は、例えば、移動体端末１００に搭載されるテレビ電話機能を実行する場合等に利用される。なお、以下においては、移動体端末１００における通常の通話機能を実行するモードを「通常通話モード」といい、ハンズフリー通話機能を実行するモードを「ハンズフリーモード」というものとする。
【００１９】
図１に示すように、移動体端末１００は、端末全体の制御を行う制御部１０１と、ユーザからの操作入力を受け付ける操作部１０２と、移動体端末１００の操作に必要となる表示画面を表示する表示部１０３と、通常通話モードにおいて音声を出力する第１スピーカ１０４と、ハンズフリーモードにおいて音声を出力する第２スピーカ１０５と、切替スイッチ（ＳＷ）による接続先を切り替えることで移動体端末１００のスピーカ(第１スピーカ１０４又は第２スピーカ１０５)から出力される音量を制御するスピーカ音量制御装置１０６と、ユーザが発する音声を受け付けるマイク１０７と、マイク１０７の感度を調節するマイク感度制御装置１０８とを含んで構成されている。
【００２０】
操作部１０２は、表示画面上に表示されるカーソルを上下方向又は左右方向に移動指示可能な十字キー、並びに、カーソルが配置された位置に対応する項目を選択する決定キーを含んでいる。表示部１０３には、後述する音量変更画面や切替確認画面などの操作入力画面などが表示される。スピーカ音量制御装置１０６は、通常通話モードでは切替ＳＷによる接続先を第１スピーカ１０４に設定する一方、ハンズフリーモードでは切替ＳＷによる接続先を第２スピーカ１０５に設定する。マイク感度制御装置１０８は、ハンズフリーモードにおいて、通常通話モードよりもマイク１０７の感度を上げるように制御する。
【００２１】
本実施の形態に係る移動体端末１００は、このような構成を有し、ユーザによる何らかの操作入力に基づいて通常通話モードとハンズフリーモードとを切り替えることで、ハンズフリー通話という概念や、通常の通話とハンズフリー通話との切り替えボタンの位置を認識していないユーザにおいても、容易に両者間の切り替えを行えるようにしたものである。
【００２２】
以下、上記構成を有する移動体端末１００において、通常通話モードとハンズフリーモードとを切り替える場合における制御について図２〜図６を用いて説明する。図２は、実施の形態１に係る移動体端末１００において、通常通話モードからハンズフリーモードに切り替える場合の動作について説明するためのフロー図である。図３は、実施の形態１に係る移動体端末１００において、ハンズフリーモードから通常通話モードに切り替える場合の動作について説明するためのフロー図である。図４は、実施の形態１に係る移動体端末１００において、表示部１０３に表示される音量変更画面の一例を示す図である。図５は、図２に示すフローの途中で表示部１０３に表示される切替確認画面の一例を示す図であり、図６は、図３に示すフローの途中で表示部１０３に表示される切替確認画面の一例を示す図である。
【００２３】
図２に示すように、通常通話モードにおいては、移動体端末１００（より詳しくは、制御部１０１）は、ハンズフリーモードをオフ状態としている（ＳＴ２０１）。なお、このとき、切替ＳＷによる接続先は第１スピーカ１０４に設定されている。
【００２４】
ハンズフリーモードをオフした状態において、制御部１０１は、ユーザによる受話音量の変更指示に相当する、スピーカ音量のアップ操作を検出するか判定する（ＳＴ２０２）。なお、実施の形態１に係る移動体端末１００においては、操作部１０２の十字キーの上下方向の操作入力によりスピーカ音量のアップ操作又はダウン操作が行われる。ＳＴ２０２において、制御部１０１は、操作部１０２の十字キーの上方向の操作入力が指示されたかを判定する。なお、スピーカ音量のアップ操作を検出しない場合には、かかる監視動作を継続すると共に、通常通話モードによる通話処理等を行う。
【００２５】
スピーカ音量のアップ操作を検出した場合には、制御部１０１は、表示部１０３に、スピーカから出力される音量の変更をユーザに可視的に示す音量変更画面４００を表示させる（ＳＴ２０３）。音量変更画面４００は、図４に示すように、受話器音量（第１スピーカ１０４から出力される音量：同図に示す４０１）と、ハンズフリー音量（第２スピーカ１０５から出力される音量：同図に示す４０２）とを、それぞれ複数の目盛りで表している。ハンズフリー音量４０２の目盛りは、受話器音量４０１の目盛りの上方に配置されている。各目盛りは、例えば、濃淡２種類の表示色で構成され、現在設定されている音量に応じた部分が濃い表示色で表示されている。図４においては、ハンズフリーモードに設定されている場合における音量変更画面４００について示している。
【００２６】
図４に示すような音量変更画面４００を表示した後、制御部１０１は、現在設定されている音量において、受話器音量４０１が最大であるか判定する（ＳＴ２０４）。ここで、受話器音量４０１が最大でない場合、制御部１０１は、かかる監視動作を継続すると共に、通常通話モードによる通話処理等を行う。
【００２７】
一方、受話器音量４０１が最大である場合には、制御部１０１は、表示部１０３にモードの切り替えをユーザに確認するための切替確認画面５００を表示させる（ＳＴ２０５）。切替確認画面５００には、図５に示すように、通常通話モードからハンズフリーモードに切り替えるか否かを確認するメッセージ５０１が表示されると共に、その応答内容を指示入力可能な確認ボタン５０２が表示される。
【００２８】
図５に示すような切替確認画面５００を表示した後、制御部１０１は、ユーザから切替確認画面５００の確認ボタン５０２を用いた切替指示を検出するか判定する（ＳＴ２０６）。ここで、切替指示を検出した場合、すなわち、図５に示す「はい」に対応する確認ボタン５０２を検出した場合、制御部１０１は、通常通話モードをハンズフリーモードに切り替える（ＳＴ２０７）。この際、制御部１０１は、スピーカ音量制御装置１０６を介して切替ＳＷによる接続先を第２スピーカ１０５に切り替えると共に、マイク感度制御装置１０８を介してマイク１０７の感度をアップさせる。
【００２９】
その後、モードの切り替え動作を終了し、ハンズフリーモードによる通話処理等を行う。一方、ＳＴ２０６において、切替指示を検出しない場合、すなわち、図５に示す「いいえ」に対応する確認ボタン５０２を検出した場合、制御部１０１は、ハンズフリーモードに切り替えることなく、通常通話モードによる通話処理等を行う。
【００３０】
これに対し、ハンズフリーモードにおいては、図３に示すように、移動体端末１００（より詳しくは、制御部１０１）は、ハンズフリーモードをオン状態としている（ＳＴ３０１）。なお、このとき、切替ＳＷによる接続先は第２スピーカ１０５に設定されている。
【００３１】
ハンズフリーモードをオンした状態において、制御部１０１は、ユーザによる受話音量の変更指示に相当する、スピーカ音量のダウン操作を検出するか判定する（ＳＴ３０２）。なお、ＳＴ３０２において、制御部１０１は、操作部１０２の十字キーの下方向の操作入力が指示されたかを判定する。なお、スピーカ音量のダウン操作を検出しない場合には、かかる監視動作を継続すると共に、ハンズフリーモードによる通話処理等を行う。
【００３２】
スピーカ音量のダウン操作を検出した場合には、制御部１０１は、スピーカ音量のアップ操作と同様に、表示部１０３に音量変更画面４００を表示させる（ＳＴ３０３）。かかる音量変更画面４００を表示した後、制御部１０１は、現在設定されている音量において、ハンズフリー音量４０２が最小であるか判定する（ＳＴ３０４）。ここで、ハンズフリー音量４０２が最小でない場合、制御部１０１は、かかる監視動作を継続すると共に、ハンズフリーモードによる通話処理等を行う。
【００３３】
一方、ハンズフリー音量４０２が最小である場合には、制御部１０１は、表示部１０３に切替確認画面６００を表示させる（ＳＴ３０５）。なお、ここで表示される切替確認画面６００には、図６に示すように、ハンズフリーモードを終了するか否か（ハンズフリーモードから通常通話モードに切り替えるか否か）を確認するメッセージ６０１が表示されると共に、その応答内容を指示入力可能な確認ボタン６０２が表示される点で、図５に示す切替確認画面５００と相違する。
【００３４】
図６に示すような切替確認画面６００を表示した後、制御部１０１は、ユーザから切替確認画面６００の確認ボタン６０２を用いた切替指示を検出するか判定する（ＳＴ３０６）。ここで、切替指示を検出した場合、すなわち、図６に示す「はい」に対応する確認ボタン６０２を検出した場合、制御部１０１は、ハンズフリーモードをオフ状態、すなわち、通常通話モードに切り替える（ＳＴ３０７）。この際、制御部１０１は、スピーカ音量制御装置１０６を介して切替ＳＷによる接続先を第１スピーカ１０４に切り替えると共に、マイク感度制御装置１０８を介してマイク１０７の感度をダウンさせる。
【００３５】
その後、モードの切り替え動作を終了し、通常通話モードによる通話処理等を行う。一方、ＳＴ３０６におい切替指示を検出しない場合、すなわち、図６に示す「いいえ」に対応する確認ボタン６０２を検出した場合、制御部１０１は、ハンズフリーモードをオフ状態に切り替えることなく、ハンズフリーモードによる通話処理等を行う。
【００３６】
このように実施の形態１に係る移動体端末１００においては、ユーザからの受話音量の変更指示に応じて表示される音量変更画面４００に対する通話モードの切替指示に応じて通常通話モードとハンズフリーモードとを切り替えるようにしたことから、受話音量の変更を受け付ける音量変更画面４００から通話モードの切り替えが指示可能となるので、ハンズフリー通話という概念や、通常の通話とハンズフリー通話との切り替えボタンの位置を認識していないユーザにおいても、容易に両者間の切り替えを行うことが可能となる。
【００３７】
特に、実施の形態１に係る移動体端末１００においては、スピーカ音量のアップ操作が指示されたか否かを判断し、その時点の受話器音量４０１が最大であった場合には通常通話モードからハンズフリーモードに切り替える一方、スピーカ音量のダウン操作が指示されたか否かを判断し、その時点のハンズフリー音量４０２が最小であった場合にはハンズフリーモードから通常通話モードに切り替える。すなわち、受話器音量４０１の最大値を上回る変更指示、或いは、ハンズフリー音量４０２の最小値を下回る変更指示を通話モードを切り替える切替指示として取り扱う。このようにスピーカ音量のアップ操作又はダウン操作に応じて、通常通話モードとハンズフリーモードとを切り替えるようにしたので、ハンズフリー通話という概念や、通常の通話とハンズフリー通話との切り替えボタンの位置を認識していないユーザにおいても、容易に両者間の切り替えを行うことが可能となる。
【００３８】
（実施の形態２）
本発明の実施の形態２に係るハンズフリー切り替え方法が適用される移動体端末１００は、ユーザによるスピーカ音量のアップ操作又はダウン操作に応じて表示される音量変更画面の構成が異なる点、並びに、この音量変更画面を用いたユーザからの指示入力に応じた制御が異なる点で、実施の形態１に係る移動体端末１００と相違する。なお、実施の形態２に係る移動体端末１００の構成については、実施の形態１に係る移動体端末１００と同一であるため、その説明は省略する（図１参照）。
【００３９】
以下、実施の形態２に係る移動体端末１００において、通常通話モードとハンズフリーモードとを切り替える場合における制御について図７〜図９を用いて説明する。図７は、実施の形態２に係る移動体端末１００において、通常通話モードからハンズフリーモードに切り替える場合の動作について説明するためのフロー図である。図８は、実施の形態２に係る移動体端末１００において、ハンズフリーモードから通常通話モードに切り替える場合の動作について説明するためのフロー図である。図９は、実施の形態２に係る移動体端末１００において、表示部１０３に表示される音量変更画面の一例を示す図である。なお、図７及び図８において、それぞれ図２及び図３に示す処理と同様の処理については同一の符号を付し、その説明を省略するものとする。
【００４０】
図７に示すように、ハンズフリーモードのオフ状態から（ＳＴ２０１）、受話音量の変更指示に相当する、スピーカ音量のアップ操作を受け付けると（ＳＴ２０２）、制御部１０１は、表示部１０３に音量変更画面９００を表示させる（ＳＴ７０１）。音量変更画面９００においては、図９に示すように、受話器音量（第１スピーカ１０４から出力される音量：同図に示す９０１）と、ハンズフリー音量（第２スピーカ１０５から出力される音量：同図に示す９０２）とが並べて表示されている。また、受話器音量９０１と、ハンズフリー音量９０２とを、それぞれ複数の目盛りで表している。各目盛りは、例えば、濃淡２種類の表示色で構成され、現在設定されている音量に応じた部分が濃い表示色で表示されている。また、現在設定されている一方のモードに対応する領域が受話音量の変更指示を受付可能な状態（変更受付可能状態）とされ、他方のモードに対応する領域は受話音量の変更指示を受付不能状態(変更受付不能状態)とされている。図９（ａ）においては、通常通話モードに設定されている場合に表示される音量変更画面９００について示し、図９（ｂ）においては、ハンズフリーモードに設定されている場合に表示される音量変更画面９００について示している。ＳＴ７０１においては、図９（ａ）に示す音量変更画面９００が表示される。
【００４１】
図９（ａ）に示すような音量変更画面９００を表示した後、制御部１０１は、変更受付可能状態の移行指示に相当する、ハンズフリーモードをオン状態とする操作入力（以下、適宜「オン操作」という）を検出するか判定する（ＳＴ７０２）。なお、実施の形態２に係る移動体端末１００においては、音量変更画面９００が表示部１０２に表示された状態で、操作部１０２の十字キーの左右方向の操作入力によりハンズフリーモードのオン／オフ状態の切替操作が行われる。ＳＴ７０２において、制御部１０１は、操作部１０２の十字キーの左方向の操作入力が指示されたかを判定する。ここで、ハンズフリーモードのオン操作を検出しない場合、制御部１０１は、かかる監視動作を継続すると共に、通常通話モードによる通話処理等を行う。
【００４２】
一方、ハンズフリーモードのオン操作を検出した場合には、制御部１０１は、通常通話モードをハンズフリーモードに切り替える（ＳＴ７０３）。この際、制御部１０１は、スピーカ音量制御装置１０６を介して切替ＳＷによる接続先を第２スピーカ１０５に切り替えると共に、マイク感度制御装置１０８を介してマイク１０７の感度をアップさせる。その後、モードの切り替え動作を終了し、ハンズフリーモードによる通話処理等を行う。
【００４３】
これに対し、ハンズフリーモードにおいては、図８に示すように、ハンズフリーモードのオン状態から（ＳＴ３０１）、スピーカ音量のダウン操作を受け付けると（ＳＴ３０２）、制御部１０１は、表示部１０３に音量変更画面９００を表示させる（ＳＴ８０１）。ここでは、図９（ｂ）に示す音量変更画面９００が表示される。
【００４４】
図９（ｂ）に示す音量変更画面９００を表示した後、制御部１０１は、変更受付可能状態の移行指示に相当する、ハンズフリーモードをオフ状態とする操作入力（以下、適宜「オフ操作」という）を検出するか判定する（ＳＴ８０２）。なお、上述のように、実施の形態２に係る移動体端末１００においては、音量変更画面９００が表示部１０２に表示された状態で、操作部１０２の十字キーの左右方向の操作入力によりハンズフリーモードのオン／オフ状態の切替操作が行われる。ＳＴ８０２において、制御部１０１は、操作部１０２の十字キーの右方向の操作入力が指示されたかを判定する。ここで、ハンズフリーモードのオフ操作を検出しない場合、制御部１０１は、かかる監視動作を継続すると共に、通常通話モードによる通話処理等を行う。
【００４５】
一方、ハンズフリーモードのオフ操作を検出した場合には、制御部１０１は、ハンズフリーモードをオフ状態、すなわち、通常通話モードに切り替える（ＳＴ８０３）。この際、制御部１０１は、スピーカ音量制御装置１０６を介して切替ＳＷによる接続先を第１スピーカ１０４に切り替えると共に、マイク感度制御装置１０８を介してマイク１０７の感度をダウンさせる。その後、モードの切り替え動作を終了し、通常通話モードによる通話処理等を行う。
【００４６】
このように実施の形態２に係る移動体端末１００においては、音量変更画面９００に、通常通話における受話音量とハンズフリー通話における受話音量とを並べて表示すると共にいずれか一方を変更受付可能状態とし、当該変更受付可能状態を他方へ移行させる移行指示を受け付けると、通話モードを異なる通話モードに切り替える。これにより、受話音量の変更を受け付ける音量変更画面から、変更受付可能状態を移行させるだけで通話モードの切り替えを指示可能となるので、ハンズフリー通話という概念や、通常の通話とハンズフリー通話との切り替えボタンの位置を認識していないユーザにおいても、容易に両者間の切り替えを行うことが可能となる。
【００４７】
（実施の形態３）
本発明の実施の形態３に係るハンズフリー切り替え方法が適用される移動体端末１００は、センサデバイス１０９による検知結果に基づいて、移動体端末１００の使用形態を判断して通常通話モードとハンズフリーモードとを切り替える点で実施の形態１又は実施の形態２に係る移動体端末１００と相違する。
【００４８】
図１０は、実施の形態３に係るハンズフリー切り替え方法が適用される移動体端末１００の機能ブロック図である。なお、図１０において、図１と同様の構成要素については、同一の符号を付し、その説明を省略する。図１０に示すように、実施の形態３に係る移動体端末１００は、図１に示す構成要素に加え、移動体端末１００に設定されたモードを検知するためのセンサデバイス１０９を含んで構成される点で実施の形態１に係る移動体端末１００と相違する。
【００４９】
センサデバイス１０９は、内部カメラ１０９ａ、顔認証センサ１０９ｂ、温度センサ１０９ｃ、ジャイロセンサ１０９ｄ及び接触検知センサ１０９ｅを備えている。内部カメラ１０９ａは、移動体端末１００の一定位置から外部の映像を撮影する。顔認証センサ１０９ｂは、内部カメラ１０９ａと連動してユーザの顔画像が移っているかを検知する。温度センサ１０９ｃは、ユーザの体温を検知する。ジャイロセンサ１０９ｄは、移動体端末１００の傾きを検知する。接触検知センサ１０９ｅは、ユーザによる移動体端末１００への接触を検知する。
【００５０】
以下、実施の形態３に係る移動体端末１００において、ハンズフリーモードと通常の通話モードとを切り替える場合における制御について図１１及び図１２を用いて説明する。図１１は、実施の形態３に係る移動体端末１００において、通常通話モードからハンズフリーモードに切り替える場合の動作について説明するためのフロー図である。図１２は、実施の形態３に係る移動体端末１００において、ハンズフリーモードから通常通話モードに切り替える場合の動作について説明するためのフロー図である。
【００５１】
図１１に示すように、通常通話モードにおいては、移動体端末１００（より詳しくは、制御部１０１）は、ハンズフリーモードをオフ状態としている（ＳＴ１１０１）。なお、このとき、切替ＳＷによる接続先は第１スピーカ１０４に設定されている。
【００５２】
ハンズフリーモードをオフした状態において、制御部１０１は、センサデバイス１０９による各種の検知結果に基づいて、通常通話モードにおける使用形態であるか判定する（ＳＴ１１０２）。なお、かかる通常通話モードにおける使用形態であるか否かの判定については後述する。ここで、通常通話モードにおける使用形態である場合、制御部１０１は、かかる監視動作を継続すると共に、通常通話モードによる通話処理等を行う。
【００５３】
一方、通常通話モードにおける使用形態でない場合には、制御部１０１は、表示部１０３に、例えば、図５に示す切替確認画面５００を表示させる（ＳＴ１１０３）。図５に示すような切替確認画面５００を表示した後、制御部１０１は、ユーザから切替確認画面５００の確認ボタン５０２を用いた切替指示を検出するか判定する（ＳＴ１１０４）。ここで、切替指示を検出した場合、すなわち、図５に示す「はい」に対応する確認ボタン５０２を検出した場合、制御部１０１は、通常通話モードをハンズフリーモードに切り替える（ＳＴ１１０５）。この際、制御部１０１は、スピーカ音量制御装置１０６を介して切替ＳＷによる接続先を第２スピーカ１０５に切り替えると共に、マイク感度制御装置１０８を介してマイク１０７の感度をアップさせる。
【００５４】
その後、モードの切り替え動作を終了し、ハンズフリーモードによる通話処理等を行う。一方、ＳＴ１１０４において切替指示を検出しない場合、すなわち、図５に示す「いいえ」に対応する確認ボタン５０２を検出した場合、制御部１０１は、ハンズフリーモードに切り替えることなく、通常通話モードによる通話処理等を行う。
【００５５】
これに対し、ハンズフリーモードにおいては、図１２に示すように、移動体端末１００（より詳しくは、制御部１０１）は、ハンズフリーモードをオン状態としている（ＳＴ１２０１）。なお、このとき、切替ＳＷによる接続先は第２スピーカ１０５に設定されている。
【００５６】
ハンズフリーモードをオンした状態において、制御部１０１は、センサデバイス１０９による各種の検知結果に基づいて、通常通話モードにおける使用形態であるか判定する（ＳＴ１２０２）。ここで、通常通話モードにおける使用形態でない場合、制御部１０１は、かかる監視動作を継続すると共に、ハンズフリーモードによる通話処理等を行う。
【００５７】
一方、通常通話モードにおける使用形態である場合には、制御部１０１は、ハンズフリーモードをオフ状態、すなわち、通常通話モードに切り替える（ＳＴ１２０３）。この際、制御部１０１は、スピーカ音量制御装置１０６を介して切替ＳＷによる接続先を第１スピーカ１０４に切り替えると共に、マイク感度制御装置１０８を介してマイク１０７の感度をダウンさせる。その後、モードの切り替え動作を終了し、通常通話モードによる通話処理等を行う。
【００５８】
ここで、図１１に示すＳＴ１１０２又は図１２に示すＳＴ１２０２において、通常通話モードにおける使用形態であるか否かを判定する際のセンサデバイス１０９による検知方法について説明する。以下、センサデバイス１０９が備える構成毎に移動体端末１００の使用形態を検知する場合について説明する。
【００５９】
内部カメラ１０９ａにおいては、例えば、撮影される映像の明るさに応じて通常通話モードにおける使用形態であるか判断することが可能である。撮影される映像が暗い場合には、ユーザが移動体端末１００を手にし、耳に近づけていると判断し、通常通話モードにおける使用形態であると判断する。一方、撮影される映像が明るい場合には、ユーザが移動体端末１００を手にしておらず、どこかに載置していると判断し、通常通話モードにおける使用形態ではない、すなわち、ハンズフリーモードにおける使用形態であると判断する。
【００６０】
顔認証センサ１０９ｂにおいては、例えば、撮影された映像に顔と判別できるものが存在するか否かに応じて通常通話モードにおける使用形態であるか判断することが可能である。撮影される映像が暗く、顔と判別できるものが存在しない場合には、ユーザが移動体端末１００を手にし、耳に近づけていると判断し、通常通話モードにおける使用形態であると判断する。一方、撮影される映像に顔と判別できるものが存在する場合には、ユーザが移動体端末１００を手にしておらず、どこかに載置していると判断し、通常通話モードにおける使用形態ではない、すなわち、ハンズフリーモードにおける使用形態であると判断する。
【００６１】
温度センサ１０９ｃにおいては、ユーザの体温に応じて通常通話モードにおける使用形態であるか判断することが可能である。すなわち、ユーザの体温を検知できた場合には、ユーザが移動体端末１００を手にし、耳に近づけていると判断し、通常通話モードにおける使用形態であると判断する。一方、ユーザの体温を検知できない場合には、ユーザが移動体端末１００を手にしておらず、どこかに載置していると判断し、通常通話モードにおける使用形態ではない、すなわち、ハンズフリーモードにおける使用形態であると判断する。
【００６２】
ジャイロセンサ１０９ｄにおいては、移動体端末１００の傾きに応じて通常通話モードにおける使用形態であるか判断することが可能である。すなわち、移動体端末１００の傾きが垂直に近い場合には、ユーザが移動体端末１００を手にし、耳に近づけていると判断し、通常通話モードにおける使用形態であると判断する。一方、移動体端末１００の傾きが水平に近い場合には、ユーザが移動体端末１００を手にしておらず、どこかに載置していると判断し、通常通話モードにおける使用形態ではない、すなわち、ハンズフリーモードにおける使用形態であると判断する。
【００６３】
接触検知センサ１０９ｅにおいては、ユーザによる移動体端末１００への接触の有無に応じて通常通話モードにおける使用形態であるか判断することが可能である。すなわち、ユーザの手や顔の一部が移動体端末１００に接触している場合には、ユーザが移動体端末１００を手にし、耳に近づけていると判断し、通常通話モードにおける使用形態であると判断する。一方、ユーザの手や顔の一部も移動体端末１００に接触していない場合には、ユーザが移動体端末１００を手にしておらず、どこかに載置していると判断し、通常通話モードにおける使用形態ではない、すなわち、ハンズフリーモードにおける使用形態であると判断する。
【００６４】
なお、ここでは、センサデバイス１０９における各構成要素による通常通話モードの使用形態の検知方法について説明しているが、これらの検知結果を組み合わせて精度を高めることは実施の形態として好ましい。
【００６５】
例えば、内部カメラ１０９ａによる検知は、夜や暗い室内においては、正確な判断が困難な場合があるため、温度センサ１０９ｃ、ジャイロセンサ１０９ｄ又は接触検知センサ１０９ｅと組み合わせて精度を高めるようにしても良い。また、温度センサ１０９ｃによる検知は、気温が暑い日などは正確な判断が困難な場合があるため、内部カメラ１０９ａや接触検知センサ１０９ｅと組み合わせて精度を高めるようにしても良い。さらに、ジャイロセンサ１０９ｄによる検知は、ユーザが寝ながら通話している場合などは正確な判断が困難な場合があるため、内部カメラ１０９ａ、温度センサ１０９ｃ又は接触検知センサ１０９ｅと組み合わせて精度を高めるようにしても良い。さらに、接触検知センサ１０９ｅによる検知は、皮膚以外と接触している場合などは正確な判断が困難な場合があるため、内部カメラ１０９ａ、温度センサ１０９ｃ又は接触検知センサ１０９ｅと組み合わせて精度を高めるようにしても良い。
【００６６】
このように実施の形態３に係る移動体端末１００においては、センサデバイス１０９による検知結果に基づいて、通常通話モードとハンズフリーモードとを切り替える。これにより、ユーザの操作入力を要することなく通常通話モードとハンズフリーモードとを切り替えることができるので、ハンズフリー通話という概念や、通常の通話とハンズフリー通話との切り替えボタンの位置を認識していないユーザにおいても、容易に両者間の切り替えを行うことが可能となる。
【００６７】
特に、実施の形態３に係る移動体端末１００においては、装置本体の使用形態が通常通話における使用形態である場合には通話モードを通常通話モードに切り替える一方、通常通話における使用形態でない場合には通話モードをハンズフリー通話モードに切り替える。このように通常通話における使用形態であるか否かに応じて通話モードを切り替えることで、ハンズフリー通話という概念や、通常の通話とハンズフリー通話との切り替えボタンの位置を認識していないユーザにおいても、容易に両者間の切り替えを可能としている。
【００６８】
なお、本発明は、上記実施の形態に限定されず、本発明の効果を発揮する範囲内において種々変更して実施することが可能である。また、本発明の目的の範囲を逸脱しない限りにおいて適宜変更して実施することが可能である。
【図面の簡単な説明】
【００６９】
【図１】本発明の実施の形態１に係るハンズフリー切り替え方法が適用される移動体端末の機能ブロック図である。
【図２】実施の形態１に係る移動体端末において、通常通話モードからハンズフリーモードに切り替える場合の動作について説明するためのフロー図である。
【図３】実施の形態１に係る移動体端末において、ハンズフリーモードから通常通話モードに切り替える場合の動作について説明するためのフロー図である。
【図４】実施の形態１に係る移動体端末において、表示部に表示される音量変更画面の一例を示す図である。
【図５】図２に示すフローの途中で表示部に表示される切替確認画面の一例を示す図である。
【図６】図３に示すフローの途中で表示部に表示される切替確認画面の一例を示す図である。
【図７】本発明の実施の形態２に係る移動体端末において、通常通話モードからハンズフリーモードに切り替える場合の動作について説明するためのフロー図である。
【図８】実施の形態２に係る移動体端末において、ハンズフリーモードから通常通話モードに切り替える場合の動作について説明するためのフロー図である。
【図９】実施の形態２に係る移動体端末において、表示部に表示される音量変更画面の一例を示す図である。
【図１０】本発明の実施の形態３に係るハンズフリー切り替え方法が適用される移動体端末の機能ブロック図である。
【図１１】実施の形態３に係る移動体端末において、通常通話モードからハンズフリーモードに切り替える場合の動作について説明するためのフロー図である。
【図１２】実施の形態３に係る移動体端末において、ハンズフリーモードから通常通話モードに切り替える場合の動作について説明するためのフロー図である。
【符号の説明】
【００７０】
１００  移動体端末装置（移動体端末）
１０１  制御部
１０２  操作部
１０３  表示部
１０４  第１スピーカ
１０５  第２スピーカ
１０６  スピーカ音量制御装置
１０７  マイク
１０８  マイク感度制御装置
１０９  センサデバイス
【図１】
2007281962.tif 000003
【図２】
2007281962.tif 000004
【図３】
2007281962.tif 000005
【図４】
2007281962.tif 000006
【図５】
2007281962.tif 000007
【図６】
2007281962.tif 000008
【図７】
2007281962.tif 000009
【図８】
2007281962.tif 000010
【図９】
2007281962.tif 000011
【図１０】
2007281962.tif 000012
【図１１】
2007281962.tif 000013
【図１２】
2007281962.tif 000014